(57)【特許請求の範囲】
【請求項１】
ケースと、
このケースの内部に形成され、第１の通風路と第２の通風路とに分岐する、空気が通過する空気通路と、
前記第１の通風路の空気の流れ最上流側に形成される流入口と、
この第１の通風路に配され、消臭剤溶液を貯留する容器と、
この容器に取り付けられ、振動することにより前記容器に貯留される前記消臭剤溶液を霧化する超音波振動子と、
前記第１の通風路の空気の流れ最下流側に形成され、前記超音波振動子により霧化された前記消臭剤溶液を車室内に吹出す第１の吹出口と、
少なくともこの第１の吹出口の側方および下方を囲むように前記第２の通風路の空気の流れ最下流側に形成される前記第２の通風路を通過する空気が吹出される第２の吹出口と
を有し、
前記流入口の開口面積が前記第１の吹出口の開口面積よりも小さいことを特徴とする消臭装置。
【請求項２】
内部に第１の通風路と第２の通風路とが形成されるケースと、
前記第１の通風路の空気の流れ最上流側に形成される第１の流入口と、
この第１の流入口よりも空気の流れ下流側に配される第１の送風手段と、
この第１の送風手段よりも空気の流れ下流側に配され、消臭剤溶液を貯留する容器と、
この容器に取り付けられ、振動することにより前記容器に貯留される前記消臭剤溶液を霧化する超音波振動子と、
前記第１の通風路の空気の流れ最下流側に形成され、前記超音波振動子により霧化された前記消臭剤溶液を車室内に吹出す第１の吹出口と、
前記第２の通風路の空気の流れ最上流側に形成される第２の流入口と、
この第２の流入口よりも空気の流れ下流側に配される第２の送風手段と、
少なくともこの第１の吹出口の側方と下方とを囲むように前記第２の通風路の空気の流れ最下流側に形成される前記第２の通風路を通過する空気が吹出される第２の吹出口と
を有し、
前記第２の送風手段の送風能力が前記第１の送風手段の送風能力よりも大きいことを特徴とする消臭装置。
【請求項３】
前記第２の吹出口が前記第１の吹出口の周囲を囲むように形成されることを特徴とする請求項１または２記載の消臭装置。
【請求項４】
前記第１の通風路が前記第１の吹出口側となるにつれて上方となるように傾斜していることを特徴とする請求項１ないし３のいずれか１つに記載の消臭装置。
【請求項５】
前記第２の吹出口が前記第１の吹出口の側方と下方とを囲むように形成されることを特徴とする請求項１ないし４のいずれか１つに記載の消臭装置。
【請求項６】
それぞれ異なる方向に伸びる複数の前記第１の通風路および前記第２の通風路と、
前記第１の通風路の空気の流れ最下流側にそれぞれ形成され、前記超音波振動子の振動子により霧化された前記消臭剤溶液をそれぞれ異なる方向に吹出す複数の第１の吹出口と、
これらの消臭液吹出口の少なくとも側方と下方とを囲むように前記第２の通風路の空気の流れ最下流側にそれぞれ形成される複数の前記通常風吹出口と
を有することを特徴とする請求項１ないし５のいずれか１つに記載の消臭装置。
【発明の詳細な説明】
【０００１】
【発明の属する技術分野】
本発明は、超音波振動子を振動させることにより霧化した消臭剤により車室内の消臭を行なう消臭装置に関するものである。
【０００２】
【従来の技術】
従来、消臭装置としては、特開平６−３０９８０号公報に開示されているような超音波振動子によって霧化した消臭剤を比較的狭い車室内に散布することにより、車室内の消臭（または脱臭、芳香）を行なう消臭装置が提案されている。
【０００３】
【発明が解決しようとする課題】
しかしながら、特開平６−３０９８０号公報に開示されているような消臭装置により、例えばバスや飛行機といった大型車両や輸送機械などの比較的大きな車室内の消臭を行なう場合には霧化された消臭液を車室内に十分いきわたらせることができず、消臭装置から離れた位置では消臭を十分に行うことができないという問題点があった。
【０００４】
そこで、本発明は上記の点に鑑みてなされたものであり、バスなどの大型車両や飛行機などの輸送機械の比較的大きな車室内全体に霧化した消臭剤を十分にいきわたらせることができる消臭装置の提供を目的とするものである。
【０００５】
【課題を解決するための手段】
上記課題を解決するために、請求項１によれば、第１の通風路（１０）を通過する空気は超音波振動子（７）により霧化された消臭剤溶液を含み、第２の通風路（１１）を通過する空気は霧化された消臭剤溶液を含まない。第１の吹出口（９）からは霧化された消臭剤溶液を含む空気（以下、霧化風とする）が吹出され、第２の吹出口（１２）からは霧化された消臭剤溶液を含ない空気（以下、通常風とする）が吹出される。そのため、霧化風は、通常風に少なくとも側方および下方を包みこまれた状態で吹出される。そのため、霧化された消臭剤溶液が消臭装置（１）の近傍において一度に拡散し、蒸発してしまうことを防止することができ、消臭剤溶液が霧化された状態で運ばれる距離を伸ばすことができる。
【０００６】
また、第１の通風路の流入口（１０ａ）の開口面積は第１の吹出口の開口面積よりも小さいので、霧化風が第１の吹出口から吹出される速度は、空気が第１の通風路に流入する際の速度、つまり空気が第２の通風路を通過する速度よりも遅くなる。したがって、霧化風は第２の吹出口から吹出される通常風の速度よりも遅い速度で第１の吹出口から吹出される。そのため、霧化風はより速い速度で吹出される通常風に乗った状態で運ばれるので、霧化風は通常風とともに車室内を移動する。したがって、消臭剤溶液が霧化された状態で運ばれる距離を伸ばすことができる。
【０００７】
このように、消臭剤溶液が霧化された状態で運ばれる距離を伸ばすことができるので、比較的大きな車室であっても消臭剤溶液を車室内全体にいきわたらせることができ、消臭を十分に行なうことができる。
また、請求項２の発明によれば、第２の送風手段の送風能力は第１の送風手段の送風能力よりも大きいので、霧化風が第１の吹出口から吹出される速度よりも速い速度で通常風を第２の吹出口から吹出させることができる。また、通常風によって少なくとも霧化風の側方および下方を包みこんだ状態で吹き出させることができる。したがって、霧化された消臭剤溶液が到達する距離を伸ばすことができるので、比較的大きな車室であっても消臭剤溶液を車室内全体にいきわたらせることができ、消臭を十分に行なうことができる。
【０００８】
さらに、請求項３の発明によれば、通常風によって霧化風の周囲を取り囲んだ状態で吹出すことができるので、消臭剤溶液の拡散を防止することができ、消臭剤溶液の到達距離を伸ばすことができる。
さらに、請求項４の発明によれば、霧化風は水平方向よりも上方にむけて吹出されるので、霧化風をさらに遠方まで到達させることができる。また、霧化しきれなかったり、結露により生じる消臭剤溶液の液滴が第１の吹出口（９）から吹出してしまうことを防止することができる。
【０００９】
さらに、請求項５の発明によれば、霧化風は通常風によって少なくとも側方および下方を囲まれた状態で第１の吹出口（９）から吹出される。つまり、霧化風は上方のみ開放された状態で第１の吹出し口から吹出される。そのため、霧化風は消臭剤溶液の一部が上方に向かって蒸発しつつ、通常風によって遠方まで運ばれる。そのため、消臭液の蒸発を徐々に行なうことができ、消臭液を車室内全体にいきわたらせることができる。
【００１０】
さらに、請求項６の発明によれば、それぞれ異なる方向に霧化風および通常風を吹出すことができるので、より広い車室内全体に霧化風をいきわたらせることができ、効果的な消臭を行なうことができる。霧化風は通常風によって側方および下方を囲まれた状態で第１の吹出口（９）から吹出される。つまり、霧化風は上方のみ開放された状態で第１の吹出し口から吹出される。そのため、霧化風はその一部が上方に向かって拡散し、蒸発しつつ、通常風によって遠方まで運ばれる。そのため、消臭液の蒸発が局所的に起きることなく、消臭液を車室内全体にいきわたらせることができる。
【００１１】
【発明の実施の形態】
〔発明の第１の実施の形態〕
以下、本発明の第１の実施の形態について図１ないし５に基づいて説明する。なお、図１中において、黒色矢印は後述する超音波振動子により霧化された消臭液を含む空気（霧化風）の流れを示し、白色矢印は霧化された消臭液を含まない空気（通常風）の流れを示す。
【００１２】
バスの車室内に配される消臭装置１は、超音波振動子７を振動させることによって容器である水槽６に貯留された消臭剤溶液を霧化して車室内に吐出し、消臭を行なうものである。
なお、本実施の形態では、消臭剤溶液（以下、消臭液とする）として、消臭剤溶液を霧化しやすくするために植物性精油に可溶化剤（アルコールなど）を加えて３％程度の濃度となるように混合したものを用いる。なお、消臭液の変質を防止するため、消臭液中には少量の防腐剤が添加されている。
【００１３】
ケース２の内部には空気通路３が形成されており、その空気の流れ最上流側には吸入口４が形成されている。この吸入口４の空気の流れ下流側には送風手段であるファン５が配され、吸入口４から空気通路３に空気を取入れる。
ファン５よりも空気の流れ下流側には、上部が開口し、内部に消臭液が貯留された水槽６が配されている。空気通路３を通過する空気のうち一部は水槽６の上部より水槽６の内部に流入する。開口した水槽６の底面に取り付けられた、超音波振動子７（例えば、ＰＺＴ圧電素子など）が振動することにより消臭液は霧化される。霧化風は水槽６の上方に設けられたダクト８に導かれる。
【００１４】
ダクト８は途中で２つに分岐しており、ダクト８の最下流部となる第１の吹出口である消臭液吹出口９はケース２の側面のうち対向する２つの面に形成されている。ダクト８の分岐している部分は消臭液吹出口９側となるにつれて上方となるように傾斜しており、霧化風が消臭液吹出口９から水平方向よりも上方にむけて吹出されるようになっている。
【００１５】
なお、開口した水槽６の上部から消臭液吹出口９までいたる部分は第１の通風路１０となっており、この第１の通風路１０のうち水槽６よりも空気の流れ下流側の部分は霧化風が通過する通風路となっている。
一方、空気通路３を通過する空気のうち、水槽６をバイパスし、消臭液を含まない空気は通常風通路１１を通過し、通常風通路１１の空気の流れ最下流側に形成された第２の吹出口である通常風吹出口１２から車室内へと吹出される。通常風吹出口１２は、消臭液吹出口９の側方および下方をコの字型にとり囲むようにケース２に形成されており、霧化風は通常風によってその側方および下方を包みこまれるようにして車室内へと吹出される。
【００１６】
上述したように空気通路３を通過する空気の一部は水槽６に流入し、残りは通常風通路１１へと送られており、空気通路３は水槽６の上部において第１の通風路１０と、第２の通風路である通常風通路１１とに分岐した状態となっている。なお、開口した水槽６の上部は第１の通風路１０の空気の流れ最上流側であり、第１の通風路１０の流入口１０ａとなっている。
【００１７】
なお、流入口１０ａの開口面積は、消臭液吹出口９の開口面積よりも小さい。そのため、霧化風が消臭液吹出口９から吹出される速度は空気が水槽６に流入する速度、つまり空気が空気通路３を通過する速度よりも遅くなる。したがって、消臭液吹出口９から吹出される霧化風の速度よりも速い速度で通常風吹出口１２から通常風が吹出される。
【００１８】
ところで、水槽６の内部には消臭液の水位を検出する水位センサ１３が設けられている。水位センサ１３は、水槽６内の水位変動に伴って変位するフロート１３ａと、液面の低下によりフロート１３ａが所定の水位よりも低下した際にオンとなるフロートスイッチ１３ｂからなる。このフロートスイッチ１３ｂは図示しない制御手段に接続されており、水槽６内の消臭液の水位が所定の水位以下となると消臭装置１の作動が停止するように制御される。また、水槽６の底面には後述する貯留タンク１４の開閉弁１５を開くための突出部６ａが形成されている。
【００１９】
ケース２の上方には消臭液を貯留する貯留タンク１４が取り付けられ、貯留タンク１４の底面に形成された補給管１６が水槽６内へと伸びている。この補給管１６の下端には開口部１６ａが形成されており、この開口部１６ａを開閉する開閉弁１５が設けられている。
開閉弁１５は、スプリング１７と、弁体１８と、当接部１９と、開口部１６ａとスプリング１７とを挿通する軸部２０とを備えている。弁体１８はテーパ状の形状を有しており、補給管１６の内部に配される。当接部１９は補給管１６の外部に配され、貯留タンク１４がケース２に取り付けられる際に水槽６の底面に形成される突出部６ａと当接する。軸部２０の一端には弁体１８が取り付けられ、他端には当接部１９が取り付けられている。
【００２０】
貯留タンク１４がケース２に取り付けられていると、図２に示すように、当接部１９は水槽６の底面に形成された突出部６ａに押付けられ、弁体１８は上方へと移動し、開閉弁１５は開いた状態となる。その結果、貯留タンク１４に貯留された消臭液は補給管１６を経て水槽６へと補給される。一方、消臭液の補充などのために貯留タンク１４がケース２から取り外されている際には、図３に示すように、当接部１９は突出部６ａから離れるため、弁体１８は下方へと移動し、開閉弁１５は閉じた状態となる。その結果、貯留タンク１４をケース２から取り外している際の、貯留タンク１４からの消臭液の漏れを防止することができる。
【００２１】
続いて、本実施の形態の作動について述べる。
図示しない消臭装置１の電源がオンとなるとファン５の回転および、図示しない発振回路による超音波振動子７の振動が開始される。ファン５の回転により吸入口４からケース２の内部に取入れられた空気の一部は水槽６の内部に流入し、超音波振動子７の振動によって霧化された消臭液が供給されて霧化風となる。霧化風はダクト８を通過し、消臭液吹出口９から車室内へと吹出される。吹出された霧化風に含まれる消臭液は拡散し、蒸発することにより車室内での消臭を行なう。
【００２２】
一方、水槽６をバイパスした空気は霧化された消臭液が供給されることなく通常風通路１１を通過し、そのまま通常風として通常風吹出口１２から車室内へと吹出される。
ところで、本実施の形態では、霧化風は通常風によってその側方および下方を包みこまれるようにして消臭液吹出口９から吹出されるので、消臭装置１の近傍において霧化風に含まれる消臭液が一度に拡散し、蒸発してしまうことを防止することができる。
【００２３】
さらに、霧化風が消臭液吹出口９から吹出される速度よりも速い速度で通常風吹出口１２から通常風が吹出されるので、吹き出された霧化風は車室内を移動していく間、通常風に周囲を包みこまれた状態で運ばれる。したがって、霧化風に含まれる消臭液が消臭装置の近傍において一度に拡散し、蒸発してしまうことを防止することができ、消臭液を霧化された状態で遠方まで運ぶことができる。つまり、霧化風の到達距離を伸ばすことができる。
【００２４】
また、通常風は霧化風よりも速い速度で吹出されるので、霧化風は通常風に乗った状態で運ばれる。つまり、霧化風はより速い速度で吹出される通常風とともに車室内を移動するので、霧化風が到達する距離を伸ばすことができる。
以上に述べたように、霧化風の到達距離を伸ばすことができるので、バスなどの大型車両や飛行機などの輸送機械の、比較的大きな車室においても霧化された状態の消臭液を車室内に十分いきわたらせることができる。
【００２５】
また、通常風吹出口１２は消臭液吹出口９の側方および下方をとり囲むようにしてケース２に形成されているので、霧化風はその側方および下方を通常風によってとり囲まれるように吹出される。つまり、霧化風は上方のみ開放された状態で消臭液吹出口９から吹出される。そのため、霧化風はその一部が上方に向かって拡散し、蒸発しつつ、通常風によって遠方まで運ばれる。そのため、消臭液を蒸発徐々に蒸発させることができ、消臭液を車室内全体にいきわたらせることができる。また、霧化風は霧化された消臭剤溶液を含むため通常風よりも重いが、その側方および下方を通常風によってとり囲まれるように吹出されるので、霧化風は消臭液吹出口９から吹出された後、車室内の床面などに落下することなく運ばれる。そのため、消臭装置１の近傍で消臭液が一度に蒸発してしまうことを防止することができる。
【００２６】
さらに、ダクト８が２つに分岐し、消臭液吹出口９および通常風吹出口１２はそれぞれケース２の側面のうち対向する２つの面に形成されているので、霧化された消臭液を２方向に吹出すことができる。バスの車室は縦長の空間であるので、図５に示すように、バスの車室の中央に消臭装置１を配すると、霧化された消臭液を車室内全体に効果的にいきわたらせることができる。
【００２７】
さらに、ダクト８の分岐している部分は消臭液吹出口９側となるにつれて上方となるように傾斜しているので、霧化風を消臭液吹出口９から水平方向よりも上方にむけて吹出させることができ、霧化風を遠方まで到達させることができる。また、ダクト８がこのように傾斜させることにより、霧化しきれなかったり、結露により生じるダクト８の内壁面に付着する消臭液の液滴をダクト８の内壁面をつたわらせて水槽６へと戻すことができる。そのため、消臭液の液滴が消臭液吹出口９から吹き出してしまうことを防止することができる。
【００２８】
〔その他の実施の形態〕
なお、特に図示しないが、消臭装置を以下に述べるような構造としてもよい。第１の実施の形態で述べたように、空気通路が第１の通風路と第２の通風路とに分岐する構造ではなく、別個の流入口をそれぞれ有する第１の通風路と第２の通風路とを設け、各通風路に送風手段を別個に配した構造とする。ただし、第２の通風路には、第１の通風路に配する第１の送風手段であるファンよりも送風能力の大きな第２の送風手段であるファンを配する。なお、消臭液が貯留された水槽は第１の通風路に配され、水槽よりも空気の流れ下流側の第１の通風路の部分は霧化風が通過する通風路となっている。なお、その他の構成については第１の実施の形態と同様であるので説明を省略する。
【００２９】
第１の通風路に配するファンよりも送風能力の大きなファンを第２の通風路に配することにより、通常風を第１の吹出口から吹出される霧化風よりも速い速度で第２の吹出口から吹出すことができる。そのため、第１の実施の形態と同様の効果を得ることができる。
なお、以上に述べた実施の形態では、消臭液吹出口の側方と下方とを囲むように通常風吹出口が形成された実施の形態について述べたが、消臭液吹出口の周囲を囲むように通常風吹出口が形成されていても、以上に述べた実施の形態と同様の効果を得ることができる。
【００３０】
また、以上に示した実施の形態では、ダクトの分岐している部分を消臭液吹出口側となるにつれて上方となるように傾斜する形状としたが、ダクトの分岐している部分は傾斜していなくてもよい。
また、以上に示した実施の形態における消臭液吹出口および通常風吹出口が形成される数および位置はあくまでも実施の形態の一例であり、その数および位置は特に限定されない。
【００３１】
さらに、消臭剤の種類についても蒸発することによって消臭を行なう消臭剤であればよく、その種類については特に限定されない。同様に可溶化剤についても特にその種類は特に限定されない。また、以上に示した実施の形態における消臭液の濃度はあくまでも実施の形態の一例であり、その濃度は特に限定されない。
なお、以上に示した実施の形態では、消臭装置をバスの車室内に配した形態について述べたが、バスの車室と同様に縦長の空間である飛行機や列車といった輸送機械の客室などに配しても以上に示した実施の形態と同様の効果を得ることができる。
【図面の簡単な説明】
【図１】図４のＡ−Ａ線断面図である。
【図２】貯留タンクがケースに取り付けられている際の、図４のＢ−Ｂ線における、消臭装置の水槽および貯留タンクの断面図である。
【図３】貯留タンクがケースから取り外された際の、図４のＢ−Ｂ線における貯留タンクの断面図である。
【図４】消臭装置の斜視図である。
【図５】消臭装置をバスの車室に配した状態を示す模式図である。
【符号の説明】
１  消臭装置
２  ケース
３  空気通路
６  容器である水槽
７  超音波振動子
９  第１の吹出口である消臭液吹出口
１０  第１の通風路である消臭液通風路
１０ａ  流入口
１１  第２の通風路である通常風通路
１２  第２の吹出口である通常風吹出口
【図１】
0003632276.tif 000002
【図２】
0003632276.tif 000003
【図３】
0003632276.tif 000004
【図４】
0003632276.tif 000005
【図５】
0003632276.tif 000006